(57)【特許請求の範囲】
【請求項１】
長尺板状の実装基板の表面に１乃至複数個の発光ダイオードが実装されて成る光源部、及び透光性を有する材料から成り前記光源部を覆う長尺箱状のカバーを有するＬＥＤユニットと、前記ＬＥＤユニットを保持する器具本体とを備え、前記カバーは、前記ＬＥＤユニットのうち前記カバーを除いた構成の長手方向における両端部を覆うように形成され、前記器具本体における前記カバーの長手方向の両端部とそれぞれ対向する部位には、前記光源部から発せられる光を反射する反射面が形成されることを特徴とする照明器具。
【請求項２】
一面に前記ＬＥＤユニットが取り付けられた状態で前記器具本体に固定される取付板をさらに備え、
前記反射面は、前記取付板の前記一面にさらに形成されることを特徴とする請求項１記載の照明器具。
【発明の詳細な説明】
【技術分野】
【０００１】
本発明は、発光ダイオードを光源とするＬＥＤユニットを用いた照明器具に関する。
【背景技術】
【０００２】
従来から、天井下地に吊下された吊りボルトの下端部にハンガーを介して保持された天井バーが、天井下地に沿った面内において略平行して複数本設けられ、隣接して並設された一対の天井バー間に天井パネル等が設けられたシステム天井が知られている。また、この種のシステム天井に用いるシステム天井用照明器具が知られており、例えば特許文献１に開示されている。
【０００３】
特許文献１に記載のシステム天井用照明器具は、一対の天井バーの頭部間に架設される天井バーの長手方向に長い矩形枠状の本体枠と、本体枠の下面に形成された取付ねじ孔に螺合する取付ねじによって本体枠の下面側に取付けられる反射板とを備える。照明器具に設けられたランプは、直管型の蛍光灯であって、天井バーの長手方向に対向して設けられる２個１組のソケット間に保持される。ソケットは、本体枠の長手方向の両端部における下面に形成されたソケット取付部に着脱自在に取付けられる。また、ソケットに接続されることによってランプを点灯させる安定器と、安定器と外部の電源との間に介在し安定器に電源を供給する端子台とを収納した点灯装置が、本体枠の上面側に取付けられる。
【先行技術文献】
【特許文献】
【０００４】
【特許文献１】特開２００５−１００８６５号公報
【発明の概要】
【発明が解決しようとする課題】
【０００５】
ところで、近年では、発光ダイオード（ＬＥＤチップ）から成る複数の光源を直線状に配列して構成されるＬＥＤユニットを従来の蛍光灯に代えて用いることが提案されている。このようなＬＥＤユニットは、システム天井用照明器具のみならず他の用途の照明器具にも用いることを考慮して、その寸法が規格化されることが考えられる。
【０００６】
一方、システム天井用照明器具の器具本体をＬＥＤユニット用の器具本体に交換する場合は、既存のシステム天井に設置できるように、その寸法が従来のシステム天井用照明器具の器具本体の寸法に制約されるものと考えられる。勿論、システム天井用照明器具だけではなく、他の従来の蛍光灯用照明器具の器具本体をＬＥＤユニット用の器具本体に交換する場合にも、同様に従来の蛍光灯用照明器具の器具本体の寸法に制約されるものと考えられる。
【０００７】
上記のように、ＬＥＤユニット及びＬＥＤユニット用の器具本体は、既存の照明器具との交換を容易にするために各々規格化されることが考えられるが、必ずしも全てのＬＥＤユニット用の器具本体に対してＬＥＤユニットの寸法が適切なものになるとは限らない。
【０００８】
例えば、ＬＥＤユニットが取付けられる器具本体の収納空間において、ＬＥＤユニットの寸法が収納空間の幅寸法よりも短くなり、ＬＥＤユニットと器具本体との間に隙間が生じる場合がある。この場合、当該隙間にＬＥＤユニットからの光が届かず、暗がりが生じる虞がある。
【０００９】
本発明は、上記の点に鑑みて為されたもので、ＬＥＤユニットと器具本体との間の隙間に暗がりが生じるのを防ぐことのできる照明器具を提供することを目的とする。
【課題を解決するための手段】
【００１０】
本発明の照明器具は、長尺板状の実装基板の表面に１乃至複数個の発光ダイオードが実装されて成る光源部、及び透光性を有する材料から成り前記光源部を覆う長尺箱状のカバーを有するＬＥＤユニットと、前記ＬＥＤユニットを保持する器具本体とを備え、前記カバーは、前記ＬＥＤユニットのうち前記カバーを除いた構成の長手方向における両端部を覆うように形成され、前記器具本体における前記カバーの長手方向の両端部とそれぞれ対向する部位には、前記光源部から発せられる光を反射する反射面が形成されることを特徴とする。
【００１１】
この照明器具において、一面に前記ＬＥＤユニットが取り付けられた状態で前記器具本体に固定される取付板をさらに備え、前記反射面は、前記取付板の前記一面にさらに形成されることが好ましい。
【発明の効果】
【００１２】
本発明は、ＬＥＤユニットと器具本体との間の隙間に暗がりが生じるのを防ぐことができるという効果を奏する。
【図面の簡単な説明】
【００１３】
【図１】本発明に係る照明器具の実施形態を示す要部断面図である。
【図２】同上の照明器具の分解斜視図である。
【図３】同上の照明器具におけるＬＥＤユニットを示す図で、（ａ）は断面図で、（ｂ）は全体斜視図である。
【図４】（ａ）は同上の照明器具における器具本体の平面図で、（ｂ）は同上の照明器具における取付板の平面図である。
【図５】同上の照明器具の他の構成である４灯タイプの照明器具の外観を示す図で、（ａ）は平面図で、（ｂ）は斜視図である。
【発明を実施するための形態】
【００１４】
以下、本発明に係る照明器具の実施形態について図面を用いて説明する。なお、以下の説明では、図２に示す矢印により上下左右方向及び前後方向を定めるものとする。本実施形態は、図１，２に示すように、複数（図示では８個）のＬＥＤユニット１と、取付板５を介して各ＬＥＤユニット１を保持する器具本体２とで構成される。
【００１５】
ＬＥＤユニット１は、図３（ａ），（ｂ）に示すように、光源部１０と、放熱部材１１と、絶縁部材１２と、取付部材１３と、カバー１４とで構成される。
【００１６】
光源部１０は、絶縁材料（例えば、セラミック）によって長尺の板状に形成された実装基板１０Ａと、実装基板１０Ａの下面に実装される複数個の青色ＬＥＤチップ１０Ｂ（発光ダイオード）と、実装基板１０Ａの下面に形成される導電体（図示せず）とを有する。各ＬＥＤチップ１０Ｂは、実装基板１０Ａ下面の短手方向（左右方向）の中央部において、長手方向（前後方向）に沿って等間隔且つ直線状に並べて実装される。そして、各ＬＥＤチップ１０Ｂは、透光性を有し且つ黄色蛍光体が混合された合成樹脂製の封止部材１０Ｃで封止されている。したがって、各ＬＥＤチップ１０Ｂから放射される青色光の一部が黄色蛍光体で波長変換され、波長変換された黄色光と波長変換されなかった青色光とが混ざることにより、光源部１０から放射される光が全体として白色光となる。
【００１７】
放熱部材１１は、長尺の平板状に形成され、絶縁部材１２を介して光源部１０が載置される主片１１Ａと、主片１１Ａの左右両端より厚み方向（上下方向）に延びる１対の側片１１Ｂとが熱伝導度の高い材料（例えば、アルミニウム）によって一体に形成される。また、主片１１Ａの一方の面（光源部１０が載置される面。以下、載置面と呼ぶ）には、光源部１０に近付く向きに突出する突条部（図示せず）が長手方向（前後方向）に沿って突設されている。
【００１８】
絶縁部材１２は、放熱部材１１の主片１１Ａと光源部１０との間に介装される主部１２Ａと、主部１２Ａの短手方向（左右方向）の両端より突出する１対の反射部１２Ｂとが合成樹脂成形体として一体に形成されて成る。各反射部１２Ｂは、上端から下端に向かうに従って外側（左右両側）に開くように傾斜し、その傾斜面が反射面となって光源部１０から放射される光を下方へ反射する。また、絶縁部材１２の主部１２Ａの中央部には、放熱部材１１の主片１１Ａが載置された状態において突条部が挿通される長孔状の挿通孔（図示せず）が厚み方向（上下方向）に貫通して設けられている。
【００１９】
取付部材１３は、鋼板などの金属板を曲げ加工することで角樋状に形成され、長尺矩形状の底板１３Ａと、底板１３Ａの長手方向（前後方向）に沿った両端より立ち下がる１対の側板１３Ｂとから成り、放熱部材１１に固定される。取付部材１３の底板１３Ａには、長手方向の中央部を挟んで２つずつ取付孔１３Ｄが設けられている。各取付孔１３Ｄは厚み方向（上下方向）に貫通して設けられており、その内周面には雌ねじ（図示せず）が形成されている。これら取付孔１３Ｄは、後述する取付板５にＬＥＤユニット１を取付ける際に用いられる。また、取付部材１３には、取付金具１３Ｃを用いてレセプタクルコネクタ１５が取付けられている。
【００２０】
レセプタクルコネクタ１５は、光源部１０の導電体と電気的に接続された電線（図示せず）が接続される接続端子部１５Ａと、プラグコネクタ（図示せず）が差し込まれるコネクタ接続部１５Ｂとを有する。プラグコネクタは電線を介して点灯装置Ａ１（図４（ａ）参照）に接続されており、プラグコネクタがレセプタクルコネクタ１５に挿抜自在に差込接続される。すなわち、プラグコネクタとレセプタクルコネクタ１５が差込接続されることで点灯装置Ａ１と光源部１０とが電気的に接続され、点灯装置Ａ１から光源部１０に給電されて光源部１０が発光（点灯）する。
【００２１】
カバー１４は、アクリル樹脂やポリカーボネート樹脂などの透光性を有する合成樹脂材料により、底部１４Ａと、底部１４Ａの周囲を囲む側壁部１４Ｂを有する長尺の矩形箱状に形成されており、光源部１０及び放熱部材１１及び絶縁部材１２を覆う。また、長手方向（前後方向）に沿った１対の側壁部１４Ｂには、放熱部材１１の側片１１Ｂに形成されている複数の係合突起１１Ｃが係脱自在に係合する複数の係合凹部１４Ｃがそれぞれ形成されている。
【００２２】
次に、ＬＥＤユニット１の組立手順を説明する。まず、光源部１０が絶縁部材１２の主部１２Ａの載置面に載置され、接着やかしめなどの適当な方法によって絶縁部材１２と結合される。続いて、光源部１０と結合された絶縁部材１２が放熱部材１１の主片１１Ａに取付けられる。そして、取付金具１３Ｃによってレセプタクルコネクタ１５が取付けられた取付部材１３が放熱部材１１とねじ止めにより固定される。最後に、底部１４Ａを光源部１０に対向させる向きでカバー１４が放熱部材１１に被せられ、側壁部１４Ｂの係合凹部１４Ｃに側片１１Ｂの係合突起１１Ｃが係合し、カバー１４が放熱部材１１に結合されることでＬＥＤユニット１が完成する。
【００２３】
なお、ＬＥＤユニット１の完成状態においては、放熱部材１１の突条部が絶縁部材１２の挿通孔を介して実装基板１０Ａの上面に当接する。このため、光源部１の発光中に発生する熱は、実装基板１０Ａから突条部を通じて放熱部材１１に伝導されることで効率的に放熱されるようになっている。
【００２４】
器具本体２は、金属板（例えば、クロムフリーの亜鉛鋼板）から形成され、図２に示すように、矩形板状の主部３と、主部３に取付けられる矩形枠状の枠部４とで構成される。主部３は、図２，４（ａ）に示すように、矩形板状の主板３０と、主板３０の四辺からそれぞれ下向きに突出する矩形状の側板３１とを一体に形成して成る。主板３０の中心部を挟んだ前後両側には、それぞれ電源線が接続される電源端子台３２と、信号線が接続される調光端子台３３とが設けられている。また、主板３０における電源端子台３２と調光端子台３３との間には、天井（図示せず）から吊り下げられる吊ボルト（図示せず）が挿入されるダルマ穴形状の挿入孔３０Ｃと、長円形状の挿入孔３０Ｄとが厚み方向（上下方向）に貫通して設けられている。これら挿入孔３０Ｃ，３０Ｄに吊ボルトを挿入して係止することで、主部３が天井から吊持される。
【００２５】
主板３０の四隅には、枠部４の四隅に設けられる組立孔（図示せず）と対向する形で組立孔３０Ａが厚み方向（上下方向）に貫通して設けられている。したがって、主板３０の各組立孔３０Ａと枠部４の各組立孔とを重ね、組立ねじ（図示せず）によってねじ止めすることで、主部３と枠部４とが結合され、器具本体２が完成する。また、主板３０における各組立孔３０Ａの近傍には、後述する取付板５の取付孔５０とそれぞれ対向する形で取付金具３４が設けられている。各取付金具３４は、主部３と枠部４とを結合した状態で枠部４の中空部分の四隅から下向きに突出する形で設けられている。また、各取付金具３４の下面には、図示しないが取付ねじＳ１が締め付けられるねじ孔が設けられている。
【００２６】
枠部４の前後両端部には、図２に示すように、各端縁をそれぞれ内側に折り曲げることで中空の直方体状の前壁部４０及び後壁部４１が形成されている。また、枠部４の左右両端部には、図２に示すように、各端縁をそれぞれ内側に折り曲げることで左壁部４２及び右壁部４３が形成されている。ここで、左壁部４２の右側面は右斜め上方に傾斜しており、右壁部４３の左側面は左斜め上方に傾斜している。これら左右壁部４２，４３の傾斜面は、光源部１０から発せられる光を反射する反射面４２Ａ，４３Ａとなっている。
【００２７】
取付板５は、図４（ｂ）に示すように、器具本体２と同じく矩形板状の金属板から成り、その四隅には平面視円形状の取付孔５０が貫設されている。ここで、器具本体２の主部３には、上述のように各取付孔５０と対応する取付金具３４が設けられている。したがって、各取付孔５０と各取付金具３４のねじ孔とが一致するように取付板５を主部３に重ね、これら取付孔５０及び取付金具３４のねじ孔に取付ねじＳ１を挿入して締め付けることで、取付板５が主部３に取付固定されるようになっている。
【００２８】
取付板５の左右方向における中央部には、下向きに突出する断面三角形状の反射部５１が上下方向に沿って曲げ加工により形成されている。反射部５１は、その傾斜面により光源部１０から発せられる光を反射させて下方へと照射する。これにより、器具本体２の下側の照明空間における照度を高めることができる。
【００２９】
取付板５の反射部５１を挟んだ左右両側には、１対のユニット用取付孔５２を１組として、それぞれ４組のユニット用取付孔５２が左右方向に沿って設けられている。各組のユニット用取付孔５２は、厚み方向（上下方向）に貫通して設けられており、且つＬＥＤユニット１の取付部材１３の各取付孔１３Ｄと重ね合わせることができるように、前後方向に所定の間隔を空けて設けられている。また、各組のユニット用取付孔５２のうち前側のユニット用取付孔５２の前方には、取付金具１３Ｃ及びレセプタクルコネクタ１５を挿通させるための略矩形状の挿通孔５３が厚み方向に貫通して設けられている。
【００３０】
以下、ＬＥＤユニット１を取付板５に取付ける手順について説明する。先ず、ＬＥＤユニット１の取付金具１３Ｃ及びレセプタクルコネクタ１５を取付板５の何れかの組の挿通孔５３に挿通させる。その後、当該組のユニット用取付孔５２とＬＥＤユニット１の取付孔１３Ｄとを重ね合わせて組立ねじ（図示せず）によってねじ止めすることで、ＬＥＤユニット１が取付板５に取付けられる。
【００３１】
ここで、本実施形態では、ＬＥＤユニット１の長手方向（前後方向）における両端部と器具本体２との間には隙間が空いている。具体的には、図１に示すように、ＬＥＤユニット１の前端部と枠部４の前壁部４０との間、及びＬＥＤユニット１の後端部と枠部４の後壁部４１との間に隙間が空いている（同図では前端部のみ図示）。このため、従来であれば、当該隙間には光源部１０から発せられる光が到達しないので、当該隙間に暗がりが生じてしまう。
【００３２】
そこで、本実施形態では、図１に示すように、光源部１０の前後両端部それぞれの少なくとも一部を覆う位置までカバー１４の側壁部１４Ｂを一体に形成している。更に、枠部４の前壁部４０におけるカバー１４の前端部と対向する面、及び後壁部４１におけるカバー１４の後端部と対向する面それぞれを白色塗料で塗装することにより、反射面を形成している。
【００３３】
これにより、光源部１０から発せられてカバー１４の前端部又は後端部を透過する光が、枠部４の前壁部４０又は後壁部４１の反射面（図示では反射面４０Ａ）で反射し、下方へと照射される。したがって、ＬＥＤユニット１と器具本体２との間の隙間に光源部１０から発せられる光が到達するため、上記隙間に暗がりが生じるのを防ぐことができる。また、カバー１４の前端部又は後端部を透過する光を無駄なく下方へと照射することができるため、器具効率を向上させることができる。
【００３４】
更に、本実施形態では、図１に示すように、カバー１４の前端部及び後端部（図示では前端部）を取付板５の上面と当接する位置まで、すなわちＬＥＤユニット１の長手方向における両端部各々の全面を覆う位置まで延設している。これにより、カバー１４の前端部及び後端部は、光源部１０から発せられる光の一部を上記隙間の上端部へと導光する導光部材として機能する。すなわち、光源部１０から発せられる光の大部分はカバー１４を透過するが、一部の光はカバー１４の内壁面で反射を繰り返すことで上方へと導光される。したがって、図１に示すように、上記隙間の上端部の取付板５で光が反射して下方へと照射されるので、当該隙間に暗がりが生じるのをより効果的に防ぐことができる。
【００３５】
ところで、取付板５の下面には、枠部４の反射面と同様に、白色塗料を塗装することで反射面を形成するのが望ましい。この場合、枠部４との色合いを統一しつつ容易に反射面を形成することができる。
【００３６】
なお、本実施形態は、８個のＬＥＤユニット１を用いた８灯タイプの照明器具であるが、例えば図５（ａ），（ｂ）に示すように、４個のＬＥＤユニット１を用いた４灯タイプの照明器具として構成してもよい。この構成においても、上記と同様の効果を奏することができる。
【符号の説明】
【００３７】
１  ＬＥＤユニット
１０  光源部
１０Ａ  実装基板
１４  カバー
１４Ｂ  側壁部
２  器具本体
４０  前壁部
４０Ａ  反射面
【図１】
0005853147.tif 000002
【図２】
0005853147.tif 000003
【図３】
0005853147.tif 000004
【図４】
0005853147.tif 000005
【図５】
0005853147.tif 000006